(57)【要約】【課題】接触信頼性を高めることができる接続ユニットを提供すること。【解決手段】接続ユニットが、ハウジング、第１固定接点側端子、第２固定接点側端子および可動接触片を有する電磁継電器と、ハウジングの外部をバスバー設置面に沿って前記配列方向に延びて配列方向における一端部が第１固定接点側端子に接続された第１バスバーと、ハウジングの外部で第２固定接点側端子に接続された第２バスバーと、バスバー設置面において、接続箇所から配列方向に隙間を空けて配置されて、接離方向でかつバスバー設置面から離れる方向における第１バスバーの位置を規制するバスバー位置規制部とを備える。【選択図】図２
2019061899.tif 000002
【特許請求の範囲】
【請求項１】
内部に収容部を有するハウジングと、
前記ハウジングに固定されていると共に、前記ハウジングの外部から前記収容部まで延びて前記収容部に配置された第１固定接点部を有する第１固定接点側端子と、
前記ハウジングに前記第１固定接点側端子とは電気的に独立して固定されていると共に、前記ハウジングの外部から前記収容部まで延びて前記収容部に配置された第２固定接点部を有する第２固定接点側端子と、
前記収容部に配置され、前記第１固定接点部に対向するように配置された第１可動接点部と、前記第２固定接点部に対向するように配置された第２可動接点部とを有し、前記第１可動接点部および前記第２可動接点部の各々が前記第１固定接点部および前記第２固定接点部に対して接触または開離する接離方向に移動可能な板状の可動接触片と
を有し、
前記第１固定接点側端子の前記ハウジングの外部側の端部が、前記接離方向のバスバー設置面側でかつ前記第１可動接点部および前記第２可動接点部を結ぶ配列方向の一端部側に位置しており、
前記ハウジングの外周かつ前記可動接触片の前記第１可動接点部および前記第２可動接点部が設けられた第１板面の前記接離方向における反対側の第２板面側に、バスバー設置面が設けられている、
電磁継電器を備えた接続ユニットにおいて、
前記ハウジングの外部を前記バスバー設置面に沿って前記配列方向に延びて、前記接離方向から見て少なくとも一部が前記可動接触片と重なっていると共に、前記バスバー設置面の前記配列方向における一端部側の接続箇所で、前記配列方向における一端部が前記第１固定接点側端子に接続された第１バスバーと、
前記第１バスバーとは電気的に独立して前記ハウジングの外部で前記第２固定接点側端子に接続された第２バスバーと、
前記バスバー設置面において、前記接続箇所から前記配列方向に隙間を空けて配置されて、前記接離方向でかつ前記バスバー設置面から離れる方向における前記第１バスバーの位置を規制するバスバー位置規制部と
をさらに備える、接続ユニット。
【請求項２】
前記バスバー位置規制部が、前記バスバー設置面において、前記可動接触片の前記配列方向の中心よりも前記配列方向において前記接続箇所から離れた領域に配置されている、請求項１の接続ユニット。
【請求項３】
前記バスバー位置規制部を第１バスバー第１位置規制部とし、前記第１バスバー第１位置規制部とは前記バスバー設置面における異なる領域に配置されて、前記接離方向でかつ前記バスバー設置面から離れる方向における前記第１バスバーの位置を規制する第１バスバー第２位置規制部をさらに備え、
前記第１バスバー第１位置規制部が、前記バスバー設置面において、前記可動接触片の前記配列方向の中心よりも配列方向において前記接続箇所から離れた領域に配置され、前記第１バスバー第２位置規制部が、前記バスバー設置面において、前記可動接触片の前記配列方向の中心よりも前記配列方向において前記接続箇所に近い領域に配置されている、請求項１または２の接続ユニット。
【請求項４】
前記ハウジングの前記バスバー設置面に設けられ、前記バスバー位置規制部と共に前記第１バスバーを挟む一対の突起部をさらに備え、
前記バスバー設置面において、前記バスバー位置規制部が、前記可動接触片の前記配列方向の中央部に配置され、前記一対の突起部の一方が、前記可動接触片の前記配列方向の中心よりも前記配列方向において前記接続箇所から離れた領域に配置され、前記一対の突起部の他方が、前記可動接触片の前記配列方向の中心よりも前記配列方向において前記接続箇所に近い領域に配置されている、請求項１の接続ユニット。
【請求項５】
前記ハウジングが直方体状を有し、
前記第２固定接点側端子が、前記ハウジングの前記バスバー設置面に直交しかつ前記バスバー設置面の前記配列方向における他端部側の他端側壁部に固定され、
前記第２バスバーは、前記第１バスバーに沿って前記配列方向に延びており、
前記第１バスバーおよび前記第２バスバーは、それぞれ板状を有し、板面同士が、前記接離方向において相互に対向するように配置されており、
前記第２バスバーの前記第１バスバーに対向する板面とは反対側の板面側に設けられて、前記接離方向でかつ前記第１バスバーから離れる方向における前記第２バスバーの位置を規制する第２バスバー位置規制部をさらに備える、請求項１から４のいずれか１つの接続ユニット。
【請求項６】
前記ハウジングが直方体状を有し、
前記第１固定接点側端子が、前記ハウジングの前記バスバー設置面に直交しかつ前記バスバー設置面の配列方向における一端部側の一端側壁部に固定され、
前記第１バスバーが、前記一端側壁部に沿って前記バスバー設置面に向かって延びる縦部材と、前記縦部材から前記バスバー設置面に沿って前記配列方向に延びる横部材とを有し、前記横部材は、前記バスバー位置規制部によって前記接離方向でかつ前記バスバー設置面から離れる方向における位置が規制されており、
前記配列方向でかつ前記ハウジングの前記一端側壁部から離れる方向における前記第１バスバーの前記縦部材の位置を規制する補助バスバー位置規制部をさらに備える、請求項１から５のいずれか１つの接続ユニット。
【請求項７】
前記補助バスバー位置規制部が、前記一端側壁部の前記バスバー設置面に近い方の端部のみに配置されている、請求項６の接続ユニット。
【請求項８】
前記バスバー位置規制部が、
前記バスバー設置面から前記接離方向に沿って前記バスバー設置面から離れる方向に延びる第１部材と、
前記第１部材の前記バスバー設置面から遠い方の端部から前記接離方向および前記配列方向に直交する方向に向かって前記バスバー設置面に沿って延びる第２部材と
を有し、
前記バスバー設置面と前記第２部材との間に前記第１バスバーが配置されている、請求項１から７のいずれか１つの接続ユニット。
【発明の詳細な説明】
【技術分野】
【０００１】
本開示は、電磁継電器と、この電磁継電器に接続されたバスバーとを備える接続ユニットに関する。
【背景技術】
【０００２】
特許文献１には、相互に電気的に独立して配置された一対の固定接触子と、この一対の固定接触子に対して接離可能に配置された矩形板状の可動接触子とを備えた接点装置が開示されている。この接点装置では、一対の固定接触子の各々が、収納ケースの天板に固定された支持導体と、この支持導体部の収納ケースの内部側の端部に接続されたＣ字状または逆Ｃ字状の接点導体部を有している。各接点導体部は、支持導体部に接続された上板部と、上板部に対向して配置された下板部と、上板部と下板部とを接続する中間板部とで構成され、下板部の上板部に対向する面には、接点部が設けられている。また、可動接触子は、長手方向の両端部が、各接点導体部の上板部および下板部の間に配置されて、各接点部に対向している。
【先行技術文献】
【特許文献】
【０００３】
【特許文献１】特許第５７７８９８９号公報
【発明の概要】
【発明が解決しようとする課題】
【０００４】
前記接点装置の接触信頼性を高める方法としては、例えば、収納ケースの天面側の外部で、可動接触子の長手方向に延びるバスバーを一対の固定接触子のいずれか一方に接続することが考えられる。この方法では、可動接触子に流れる電流とバスバーに流れる電流とが相互に反対方向になるので、可動接触子とバスバーとに流れる電流に起因して発生する電磁反発力によって可動接触子が各接点部に押圧され、可動接触子と各接点部との間の接圧を高めることができる。その結果、前記接点装置の接触信頼性を高めることができる。
【０００５】
しかし、前述の方法では、バスバー自体も収納ケースの天板から離れる方向に電磁反発力を受けて、バスバーが収納ケースの天面から離れる方向に変形してしまう。このため、可動接触子とバスバーとに流れる電流に起因して発生する電磁反発力が低下して、可動接触子と各接点部との間の接圧を十分に高めることができなくなり、その結果、前記接点装置の接触信頼性を十分に高めることができなくなる可能性がある。
【０００６】
本開示は、接触信頼性を高めることができる接続ユニットを提供することを目的とする。
【課題を解決するための手段】
【０００７】
本開示の一例の接続ユニットは、
内部に収容部を有するハウジングと、
前記ハウジングに固定されていると共に、前記ハウジングの外部から前記収容部まで延びて前記収容部に配置された第１固定接点部を有する第１固定接点側端子と、
前記ハウジングに前記第１固定接点側端子とは電気的に独立して固定されていると共に、前記ハウジングの外部から前記収容部まで延びて前記収容部に配置された第２固定接点部を有する第２固定接点側端子と、
前記収容部に配置され、前記第１固定接点側端子に対向する第１板面に設けられて前記第１固定接点部に対向するように配置された第１可動接点部と、前記第１板面に設けられて前記第２固定接点部に対向するように配置された第２可動接点部とを有し、前記第１可動接点部および前記第２可動接点部の各々が前記第１固定接点部および前記第２固定接点部に対して接触または開離する接離方向に移動可能な板状の可動接触片と
を有し、
前記ハウジングの外周かつ前記可動接触片の前記第１板面の前記接離方向における反対側の第２面側に、バスバー設置面が設けられている、
電磁継電器を備えた接続ユニットにおいて、
前記ハウジングの外部を前記バスバー設置面に沿って前記第１可動接点部および前記第２可動接点部を結ぶ配列方向に延びて、前記接離方向から見て少なくとも一部が前記可動接触片と重なっていると共に、前記バスバー設置面の前記配列方向における一端部である接続箇所で前記配列方向の一端部が前記第１固定接点側端子に接続された第１バスバーと、
前記第１バスバーとは電気的に独立して前記ハウジングの外部で前記第２固定接点側端子に接続された第２バスバーと、
前記バスバー設置面において、前記接続箇所から前記配列方向に隙間を空けて配置されて、前記接離方向でかつ前記バスバー設置面から離れる方向における前記第１バスバーの位置を規制するバスバー位置規制部と
をさらに備える。
【発明の効果】
【０００８】
前記接続ユニットによれば、バスバー設置面において、第１バスバーの配列方向の一端部が第１固定接点側端子に接続された接続箇所から配列方向に隙間を空けて配置されて、接離方向でかつバスバー設置面から離れる方向における第１バスバーの位置を規制するバスバー位置規制部を備えている。このバスバー位置規制部により、第１バスバーがバスバー設置面に沿って配列方向に延びた状態を維持できるので、通電時に可動接触片および第１バスバー間に発生する電磁反発力によって、第１バスバーが接離方向でかつバスバー設置面から離れる方向に変形するのを抑制できる。その結果、第１バスバーの変形に伴う可動接触片および第１バスバー間に発生する電磁反発力の低下を抑制して、接続ユニットの接触信頼性を高めることができる。
【図面の簡単な説明】
【０００９】
【図１】本開示の一例の接続ユニットの適用例を示す回路図。
【図２】本開示の第１実施形態の接続ユニットの斜視図。
【図３】図２のIII-III線に沿った断面図。
【図４】図２のIV矢視方向から見た側面図。
【図５】図２の接続ユニットの変形例を示す図２のIV矢視方向から見た側面図。
【図６】本開示の第２実施形態の接続ユニットの斜視図。
【図７】本開示の第３実施形態の接続ユニットの斜視図。
【図８】本開示の第４実施形態の接続ユニットの斜視図。
【図９】本開示の第５実施形態の接続ユニットの斜視図。
【発明を実施するための形態】
【００１０】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１１】
図１に、本開示が適用される場面の一例を示す。本開示の一例の接続ユニット１は、例えば、電気自動車のバッテリー２とインバータ３との間に接続されて、バッテリー２からインバータ３を介してモータ４に接続された電源供給用の電流路を開閉すると共に、発電機５からインバータ３を介してバッテリー２に接続された充電用の電流路を開閉するように構成されている。なお、バッテリー２とインバータ３の間には、接続ユニット１と並列してプリチャージ用の継電器６と抵抗器７が接続されている。
【００１２】
（第１実施形態）
続いて、本開示の第１実施形態の接続ユニット１の構成について説明する。
【００１３】
第１実施形態の接続ユニット１は、図２に示すように、電磁継電器１０と、電磁継電器１０に接続された第１バスバー２０および第２バスバー３０と、第１バスバー２０のハウジング１１に対する位置を規制するバスバー位置規制部４０とを備えている。
【００１４】
電磁継電器１０は、図３に示すように、内部に収容部１５を有するハウジング１１と、ハウジング１１に固定された第１固定接点側端子１２および第２固定接点側端子１３と、収容部１５に配置された板状の可動接触片１４とを有している。可動接触片１４にはそれぞれ隙間を空けて配置された第１可動接点部１４１および第２可動接点部１４２が設けられている。
【００１５】
ハウジング１１は、図３に示すように、直方体の箱状で、外面（すなわち、図３の上面）にバスバー設置面１６を有する第１壁部１１１と、バスバー設置面１６に直交しかつ第１可動接点部１４１および第２可動接点部１４２を結ぶ配列方向（すなわち、図３の左右方向）に対向する一対の側壁部（すなわち、一端側壁部である第２壁部１１２および他端側壁部である第３壁部１１３）とを有している。
【００１６】
第１固定接点側端子１２は、図３に示すように、板状で、ハウジング１１の第１壁部１１１に固定されていると共に、ハウジング１１の外部から収容部１５まで延びている。第１固定接点側端子１２のハウジング１１の外部側の一端部（すなわち、図３の左端部）は、バスバー設置面１６に直交する方向のバスバー設置面１６側でかつ配列方向の一端部側（すなわち、図３の左端部側）に位置して、バスバー設置面１６に沿ってハウジング１１の第２壁部１１２から離れる方向に延びている。また、第１固定接点側端子１２の収容部１５側の他端部（すなわち、図３の右端部）には、収容部１５に配置された第１固定接点部１２１が設けられている。
【００１７】
第２固定接点側端子１３は、図３に示すように、板状で、ハウジング１１の第３壁部１１３に第１固定接点側端子１２とは電気的に独立して固定されていると共に、ハウジング１１の外部から収容部１５まで延びている。第２固定接点側端子１３の収容部１５側の一端部（すなわち、図３の左端部）には、収容部１５に配置された第２固定接点部１３１が設けられている。また、第２固定接点側端子１３のハウジング１１の外部側の他端部（すなわち、図３の右端部）は、配列方向に沿って第３壁部１１３から離れる方向に延びている。
【００１８】
可動接触片１４は、図３に示すように、略矩形板状で、第１固定接点側端子１２の収容部１５側の端部および第２固定接点側端子１３の収容部１５側の端部と、ハウジング１１の第１壁部１１１との間に配置されている。この可動接触片１４は、第１固定接点側端子１２の収容部１５側の端部および第２固定接点側端子１３の収容部１５側の端部に対向する第１板面１４３と、ハウジング１１の第１壁部１１１に対向する第２板面１４４を有し、第１板面１４３に、第１固定接点部１２１に対向するように配置された第１可動接点部１４１と、第２固定接点部１３１に対向するように配置された第２可動接点部とが設けられている。すなわち、ハウジング１１の外周かつ可動接触片１４の第２板面１４４側に、バスバー設置面１６が設けられている。
【００１９】
また、可動接触片１４は、第１可動接点部１４１および第２可動接点部１４２の各々が第１固定接点部１２１および第２固定接点部１３１に対して接触または開離する接離方向（すなわち、図３の上下方向）に移動可能に設けられている。
【００２０】
詳しくは、収容部１５の接離方向における第１壁部１１１に対向する第４壁部１１４側には、電磁石ユニット５０が配置されている。可動接触片１４は、その長手方向の略中央に接続された可動軸５１を介して電磁石ユニット５０に接続され、可動軸５１を介して復帰ばね５２により接離方向の第１壁部１１１側に向かって付勢されている。
【００２１】
電磁石ユニット５０が非励磁状態のときは、図３に示すように、可動接触片１４は、復帰ばね５２の付勢力により、接離方向の第１壁部１１１側に位置して、第１可動接点部１４１および第２可動接点部１４２の各々は、第１固定接点部１２１および第２固定接点部１３１から開離している。非励磁状態の電磁石ユニット５０を励磁状態にすると、可動接触片１４は、電磁石ユニット５０により、復帰ばね５２の付勢力に抗して、接離方向の第１壁部１１１側から第４壁部１１４側に向かって移動して、第１可動接点部１４１および第２可動接点部１４２の各々が、第１固定接点部１２１および第２固定接点部１３１に接触する。
【００２２】
第１バスバー２０は、図２に示すように、略矩形板状で、ハウジング１１の外部をバスバー設置面１６に沿って配列方向に延びかつその板面がバスバー設置面１６に対向するように配置されて、接離方向から見て少なくとも一部が可動接触片１４と重なっている（図３および図４参照）。
【００２３】
また、第１バスバー２０は、バスバー設置面１６の配列方向における一端部側（すなわち、図２の左端部側）の接続箇所２１で、第１バスバー２０の配列方向における一端部（すなわち、図２の左端部）が、第１固定接点側端子１２のハウジング１１の外部側の一端部に接続されている。なお、第１バスバー２０と第１固定接点側端子１２とは、一例としてねじ２２で固定されている。
【００２４】
第２バスバー３０は、図２に示すように、略矩形板状で、第１バスバー２０とは電気的に独立してハウジング１１の外部で第２固定接点側端子１３に接続されている。第２バスバー３０は、第１バスバー２０に沿って配列方向に延びており、その板面が、第１バスバー２０の板面に対向するように配置されている。すなわち、第１バスバー２０および第２バスバー３０は、板面同士が接離方向において相互に対向するように配置されている。
【００２５】
また、第２バスバー３０は、その配列方向における一端部（すなわち、図２の左端部）が、第２固定接点側端子１３のハウジング１１の外部側の他端部に接続されている。なお、第２バスバー３０と第２固定接点側端子１３とは、一例としてねじ３１で固定されている。
【００２６】
なお、通電時（すなわち、第１可動接点部１４１および第２可動接点部１４２の各々が、第１固定接点部１２１および第２固定接点部１３１にそれぞれ接触したとき）において、第１バスバー２０と、可動接触片１４および第２バスバー３０との間には、相互に反対方向の電流が流れる。
【００２７】
バスバー位置規制部４０は、図３に示すように、バスバー設置面１６において、第１固定接点側端子１２と第１バスバー２０との接続箇所２１から配列方向に隙間６０を空けて配置され、接離方向でかつバスバー設置面１６から離れる方向における第１バスバー２０の位置を規制して、第１バスバー２０がバスバー設置面１６に沿って配列方向に延びた状態を維持する。
【００２８】
詳しくは、バスバー位置規制部４０は、図４に示すように、配列方向（すなわち、図４の紙面貫通方向）から見て略Ｌ字形状を有し、バスバー設置面１６において、可動接触片１４の配列方向の中心ＣＬよりも配列方向において接続箇所２１から離れた領域７０に配置されている。図４に示すように、バスバー位置規制部４０は、バスバー設置面１６から接離方向に沿ってバスバー設置面１６から離れる方向（すなわち、図４の上向き）に延びる第１部材４１と、第１部材４１のバスバー設置面１６から遠い方の端部からバスバー設置面１６に沿って接離方向および配列方向に直交する方向（すなわち、図４の右向き）に延びる第２部材４２とを有している。第１バスバー２０は、バスバー設置面１６とバスバー位置規制部４０の第２部材４２との間に挟まれて、接離方向でかつバスバー設置面１６から離れる方向（すなわち、図４の上向き）における位置が規制されている。
【００２９】
なお、図４では、第１バスバー２０と第２部材４２との間に隙間４４が形成されているが、この隙間４４はなくてもかまわない。すなわち、バスバー設置面１６とバスバー位置規制部４０の第２部材４２とで、第１バスバー２０を挟持するように構成してもよい。
【００３０】
前記接続ユニット１では、バスバー設置面１６において、第１バスバー２０の配列方向の一端部が第１固定接点側端子１２に接続された接続箇所２１から配列方向に隙間６０を空けて配置されて、接離方向でかつバスバー設置面１６から離れる方向における第１バスバー２０の位置を規制するバスバー位置規制部４０を備えている。このバスバー位置規制部４０により、第１バスバー２０がバスバー設置面１６に沿って配列方向に略直線的に延びた状態を維持できるので、通電時に可動接触片１４および第１バスバー２０を流れる相互に反対方向の電流に起因して発生する電磁反発力によって、第１バスバー２０が接離方向でかつバスバー設置面１６から離れる方向に変形するのを抑制できる。その結果、第１バスバー２０の変形に伴う可動接触片１４および第１バスバー２０間に発生する電磁反発力の低下を抑制して、接続ユニット１の接触信頼性を高めることができる。
【００３１】
また、バスバー位置規制部４０が、バスバー設置面１６において、可動接触片１４の配列方向の中心ＣＬよりも配列方向において接続箇所２１から離れた領域７０に配置されている。このようにバスバー位置規制部４０を配置することで、第１バスバー２０がバスバー設置面１６に沿って配列方向に略直線的に延びた状態をより確実に維持できるので、通電時に可動接触片１４および第１バスバー２０を流れる相互に反対方向の電流に起因して発生する電磁反発力によって、第１バスバー２０が接離方向でかつバスバー設置面１６から離れる方向に変形するのをより確実に抑制できる。
【００３２】
また、バスバー位置規制部４０が、バスバー設置面１６から接離方向に沿ってバスバー設置面１６から離れる方向に延びる第１部材４１と、第１部材４１のバスバー設置面１６から遠い方の端部から接離方向および配列方向に直交する方向に向かってバスバー設置面１６に沿って延びる第２部材４２とを有し、バスバー設置面１６と第２部材４２との間に第１バスバー２０が配置されている。これにより、簡単な構成で、第１バスバー２０がバスバー設置面１６に沿って配列方向に略直線的に延びた状態をより確実に維持できるので、通電時に可動接触片１４および第１バスバー２０を流れる相互に反対方向の電流に起因して発生する電磁反発力によって、第１バスバー２０が接離方向でかつバスバー設置面１６から離れる方向に変形するのをより確実に抑制できる。
【００３３】
なお、バスバー位置規制部４０は、バスバー設置面１６において、可動接触片１４の配列方向の中心ＣＬよりも配列方向において接続箇所２１から離れた領域７０であれば、任意の位置に配置できる。バスバー位置規制部４０が接続箇所２１から離れれば離れるほど、第１バスバー２０がバスバー設置面１６に沿って配列方向に延びた状態をより確実に維持できる。
【００３４】
また、バスバー位置規制部４０は、ハウジング１１と一体に形成していてもよいし、ハウジング１１とは別体に形成してもよい。
【００３５】
また、バスバー位置規制部４０は、バスバー設置面１６において、可動接触片１４の配列方向の中心ＣＬよりも配列方向において接続箇所２１から離れた領域７０に配置されているが、これに限らない。すなわち、バスバー位置規制部４０は、バスバー設置面１６において、接続箇所２１から配列方向に隙間６０を空けて配置されていればよい。
【００３６】
また、バスバー位置規制部４０は、第１部材４１と第２部材４２とで構成されて配列方向から見て略Ｌ字形状を有する場合に限らない。例えば、図５に示すように、バスバー位置規制部４０は、配列方向から見て略Ｕ字状を有するように、第１部材４１および第２部材４２と、第２部材４２の延在方向における第１部材４１に接続されている端部とは反対側の端部に接続されて、第２部材４２から接離方向に沿ってバスバー設置面１６に接近する方向に延びる第３部材４３とで構成してもよい。また、図示していないが、第１バスバー２０を貫通してハウジング１１に固定可能なねじなどの締結部材であってもよい。
【００３７】
また、バスバー位置規制部４０は、導体であっても絶縁体であってもよい。
【００３８】
第１固定接点側端子１２は、ハウジング１１の第１壁部１１１に固定されている場合に限らず、例えば、第２壁部１１２に固定されてもよい。また、第２固定接点側端子１３は、第３壁部１１３に固定される場合に限らず、例えば、第１壁部１１１に固定されてもよい。
【００３９】
ハウジング１１は、直方体状に限らず、円柱状などの他の形状であってもよい。
【００４０】
第１バスバー２０および第２バスバー３０は、板状に限らず、棒状などの他の形状であってもよい。
【００４１】
（第２実施形態）
本開示の第２実施形態の接続ユニット１は、図６に示すように、バスバー位置規制部４０（この実施形態では、第１バスバー第１位置規制部４０という）に加えて、さらにバスバー位置規制部１４０（この実施形態では、第１バスバー第２位置規制部１４０という）を備えた点で、第１実施形態と異なっている。
【００４２】
なお、第２実施形態では、第１実施形態と同一部分に同一参照番号を付して説明を省略する。
【００４３】
第１バスバー第２位置規制部１４０は、図６に示すように、第１バスバー第１位置規制部４０とはバスバー設置面１６における異なる領域に配置されて、接離方向でかつバスバー設置面１６から離れる方向における第１バスバー２０の位置を規制する。
【００４４】
詳しくは、第１バスバー第２位置規制部１４０は、バスバー設置面１６において、可動接触片１４の配列方向の中心ＣＬよりも配列方向において接続箇所２１に近い領域８０に配置されている。この第２実施形態では、第１バスバー第１位置規制部４０は、バスバー設置面１６の配列方向における第３壁部１１３側の端部に配置され、第１バスバー第２位置規制部１４０は、バスバー設置面１６の配列方向における第２壁部１１２側の端部に配置されている。
【００４５】
なお、第１バスバー第２位置規制部１４０は、第１バスバー第１位置規制部４０と同じ構成を有している。このため、第１バスバー第１位置規制部１４０についての説明は、第１バスバー位置規制部４０の説明を援用する。
【００４６】
このように、第２実施形態の接続ユニット１では、第１バスバー第１位置規制部４０が、バスバー設置面１６において、可動接触片１４の配列方向の中心ＣＬよりも配列方向において接続箇所２１から離れた領域７０に配置され、第１バスバー第２位置規制部１４０が、バスバー設置面１６において、可動接触片１４の配列方向の中心ＣＬよりも配列方向において接続箇所２１に近い領域８０に配置されている。この第１バスバー第１位置規制部４０および第１バスバー第２位置規制部１４０により、第１バスバー２０がバスバー設置面１６に沿って配列方向に略直線的に延びた状態をより確実に維持できるので、通電時に可動接触片１４および第１バスバー２０間に発生する電磁反発力によって、第１バスバー２０が接離方向でかつバスバー設置面１６から離れる方向に変形するのをより確実に抑制できる。その結果、第１バスバー２０の変形に伴う可動接触片１４および第１バスバー２０間に発生する電磁反発力の低下を抑制して、接続ユニット１の接触信頼性を高めることができる。
【００４７】
なお、第１バスバー第２位置規制部１４０は、バスバー設置面１６において、可動接触片１４の配列方向の中心ＣＬよりも配列方向において接続箇所２１に近い領域８０であれば、任意の位置に配置できる。
【００４８】
また、第１バスバー第２位置規制部１４０は、導体であっても絶縁体であってもよい。
【００４９】
（第３実施形態）
本開示の第３実施形態の接続ユニット１は、図７に示すように、バスバー位置規制部４０と共に第１バスバー２０を挟む一対の突起部２４１、２４２を備えた点で、第１実施形態と異なっている。
【００５０】
なお、第３実施形態では、第１実施形態と同一部分に同一参照番号を付して説明を省略する。
【００５１】
第３実施形態の接続ユニット１では、バスバー位置規制部４０は、図７に示すように、バスバー設置面１６の可動接触片１４の配列方向の中央部（すなわち、可動接触片１４の配列方向の中心ＣＬ近傍）に配置されている。また、一対の突起部２４１、２４２の一方が、バスバー設置面１６の可動接触片１４の配列方向の中心ＣＬよりも配列方向において接続箇所２１から離れた領域７０に配置され、一対の突起部２４１、２４２の他方が、バスバー設置面１６の可動接触片１４の配列方向の中心ＣＬよりも配列方向において接続箇所２１に近い領域８０に配置されている。なお、第１バスバー２０とバスバー設置面１６との間には、一対の突起部２４１、２４２により隙間２４３が形成されている。
【００５２】
このように、第３実施形態の接続ユニット１では、バスバー設置面１６に設けられ、バスバー位置規制部４０と共に第１バスバー２０を挟む一対の突起部２４１、２４２をさらに備えている。そして、バスバー設置面１６において、バスバー位置規制部４０が、可動接触片１４の配列方向の中央部に配置され、一対の突起部２４１、２４２の一方が、可動接触片１４の配列方向の中心ＣＬよりも配列方向において接続箇所２１から離れた領域７０に配置され、一対の突起部２４１、２４２の他方が、可動接触片１４の配列方向の中心よりも配列方向において接続箇所２１に近い領域８０に配置されている。これにより、第１バスバー２０がバスバー設置面１６に沿って配列方向に延びた状態をより確実に維持できるので、通電時に可動接触片１４および第１バスバー２０間に発生する電磁反発力によって、第１バスバー２０が接離方向でかつバスバー設置面１６から離れる方向に変形するのをより確実に抑制できる。その結果、第１バスバー２０の変形に伴う可動接触片１４および第１バスバー２０間に発生する電磁反発力の低下を抑制して、接続ユニット１の接触信頼性を高めることができる。
【００５３】
また、第１バスバー２０が、バスバー位置規制部４０および一対の突起部２４１、２４２で挟まれているので、第１バスバー２０の位置精度あるいは挟み込み精度を向上させることができる。
【００５４】
また、一対の突起部２４１、２４２により、第１バスバー２０とバスバー設置面１６との間に隙間２４３が形成されているので、第１バスバー２０の放熱性を高めて、第１バスバー２０から電磁継電器１０に伝わる熱を低減できる。
【００５５】
なお、一対の突起部２４１、２４２の各々は、接続箇所２１から離れた領域７０および接続箇所２１に近い領域８０であれば、任意の位置に配置できる。
【００５６】
また、一対の突起部２４１、２４２の各々は、ハウジング１１と一体に形成していてもよいし、ハウジング１１とは別体に形成してもよい。
【００５７】
また、一対の突起部２４１、２４２の各々は、導体であっても絶縁体であってもよい。
【００５８】
（第４実施形態）
本開示の第４実施形態の接続ユニット１は、図８に示すように、バスバー規制部４０（この実施形態では、第１バスバー位置規制部４０という）に加えて、接離方向でかつ第１バスバー２０から離れる方向における第２バスバー３０の位置を規制するバスバー位置規制部３４０を備えた点で、第１実施形態と異なっている。
【００５９】
なお、第４実施形態では、第１実施形態と同一部分に同一参照番号を付して説明を省略する。
【００６０】
第２バスバー位置規制部３４０は、図８に示すように、第２バスバー３０の第１バスバー２０に対向する板面３０１とは反対側の板面３０２側に設けられて、接離方向でかつ第１バスバー２０から離れる方向（すなわち、図８の下向き）における第２バスバー３０の位置を規制して、第２バスバー３０がバスバー設置面１６に沿って配列方向でかつハウジング１１から離れる方向に延びた状態を維持する。
【００６１】
詳しくは、第２バスバー位置規制部３４０は、第２固定接点側端子１３の接離方向における第２バスバー３０が固定されている面とは反対側の面に固定された略矩形板状の固定部３４１と、固定部３４１の延在方向における先端部から第２バスバー３０に向かって突出するように設けられた位置規制部３４２とで構成されている。第２バスバー３０は、この位置規制部３４２によって、接離方向でかつ第１バスバー２０から離れる方向における位置が規制されている。
【００６２】
このように、第４実施形態の接続ユニット１では、第２バスバー３０の第１バスバー２０に対向する板面とは反対側の板面側に設けられて、接離方向でかつ第１バスバー２０から離れる方向における第２バスバー３０の位置を規制する第２バスバー位置規制部３４０をさらに備えている。この第２バスバー位置規制部３４０により、第２バスバー３０がバスバー設置面１６に沿って配列方向に延びた状態を維持できるので、第２バスバー３０が、接離方向でかつ第１バスバー２０から離れる方向に変形することによる電磁継電器１０の不具合の発生を抑制できる。
【００６３】
また、第２バスバー位置規制部３４０は、導体であっても絶縁体であってもよい。
【００６４】
（第５実施形態）
本開示の第５実施形態の接続ユニット１は、図９に示すように、第１固定接点側端子１２が、ハウジング１１の第２壁部１１２に固定され、第１バスバー２０が、縦部材２３と横部材２４とで構成され、ハウジング１１の配列方向でかつハウジング１１の第２壁部１１２から離れる方向における縦部材２３の位置を規制する補助バスバー位置規制部４４０をさらに備えた点で、第１実施形態と異なっている。
【００６５】
なお、第５実施形態では、第１実施形態と同一部分に同一参照番号を付して説明を省略する。
【００６６】
第５実施形態の電磁継電器１０は、図９に示すように、接離方向および配列方向に交差する幅方向（すなわち、図９の紙面貫通方向）から見て、可動接触片１４の配列方向の中心ＣＬに対して対称に設けられている。すなわち、第１固定接点側端子１２および第２固定接点側端子１３は、幅方向において、可動接触片１４の配列方向の中心ＣＬに対して対称な形状を有している。
【００６７】
第１バスバー２０の縦部材２３は、図９に示すように、第２壁部１１２に沿ってバスバー設置面１６に向かって延びている。縦部材２３は、補助バスバー位置規制部４４０は、縦部材２３の延在方向に沿って延びて、縦部材の延在方向の全体に亘って設けられている。縦部材２３は、この補助バスバー位置規制部４４０により、ハウジング１１の配列方向でかつハウジング１１の第２壁部１１２から離れる方向における位置が規制されている。また、第１バスバー２０の横部材２４は、縦部材２３からバスバー設置面１６に沿って配列方向に延びている。横部材２４は、バスバー位置規制部４０によって、接離方向でかつバスバー設置面１６から離れる方向における位置が規制されている。
【００６８】
このように、第５実施形態の接続ユニット１では、第１バスバー２０が、第２壁部１１２に沿ってバスバー設置面１６に向かって延びる縦部材２３と、縦部材２３からバスバー設置面１６に沿って配列方向に延びる横部材２４とを有し、ハウジング１１の配列方向でかつハウジング１１の第２壁部１１２から離れる方向における縦部材２３の位置を規制する補助バスバー位置規制４４０をさらに備えている。この補助バスバー位置規制部４４０により、第１バスバー２０がバスバー設置面１６に沿って配列方向に延びた状態をより確実に維持できるので、通電時に可動接触片１４および第１バスバー２０間に発生する電磁反発力によって、第１バスバー２０が接離方向でかつバスバー設置面１６から離れる方向に変形するのをより確実に抑制できる。その結果、第１バスバー２０の変形に伴う可動接触片１４および第１バスバー２０間に発生する電磁反発力の低下を抑制して、接続ユニット１の接触信頼性を高めることができる。
【００６９】
なお、補助バスバー位置規制部４４０は、縦部材２３の接離方向の全体に亘って設けられている場合に限らず、例えば、第２壁部１１２のバスバー設置面１６に近い方の端部にのみ配置してもよい。これにより、縦部材２３の接離方向の全体に亘って補助バスバー位置規制部４４０を設けた場合と比較して、補助バスバー位置規制部４４０の形成使用する材料を抑制することができる。
【００７０】
また、補助バスバー位置規制部４４０は、導体であっても絶縁体であってもよい。
【００７１】
以上、図面を参照して本開示における種々の実施形態を詳細に説明したが、最後に、本開示の種々の態様について説明する。なお、以下の説明では、一例として、参照符号も添えて記載する。
【００７２】
本開示の第１態様の接続ユニット１は、
内部に収容部１５を有するハウジング１１と、
前記ハウジング１１に固定されていると共に、前記ハウジング１１の外部から前記収容部１５まで延びて前記収容部１５に配置された第１固定接点部１２１を有する第１固定接点側端子１２と、
前記ハウジング１１に前記第１固定接点側端子１２とは電気的に独立して固定されていると共に、前記ハウジング１１の外部から前記収容部１５まで延びて前記収容部１５に配置された第２固定接点部１３１を有する第２固定接点側端子１３と、
前記収容部１５に配置され、前記第１固定接点部１２１に対向するように配置された第１可動接点部１４１と、前記第２固定接点部１３１に対向するように配置された第２可動接点部１４２とを有し、前記第１可動接点部１４１および前記第２可動接点部１４２の各々が前記第１固定接点部１２１および前記第２固定接点部１３１に対して接触または開離する接離方向に移動可能な板状の可動接触片１４と
を有し、
前記第１固定接点側端子１２の前記ハウジング１１の外部側の端部が、前記接離方向のバスバー設置面１６側でかつ前記第１可動接点部１４１および前記第２可動接点部１４２を結ぶ配列方向の一端部側に位置しており、
前記ハウジング１１の外周かつ前記可動接触片１４の前記第１可動接点部１４１および前記第２可動接点部１４２が設けられた第１板面１４３の前記接離方向における反対側の第２板面１４４側に、バスバー設置面１６が設けられている、
電磁継電器１０を備えた接続ユニット１において、
前記ハウジング１１の外部を前記バスバー設置面１６に沿って前記配列方向に延びて、前記接離方向から見て少なくとも一部が前記可動接触片１４と重なっていると共に、前記バスバー設置面１６の前記配列方向における一端部側の接続箇所２１で、前記配列方向における一端部が前記第１固定接点側端子１２に接続された第１バスバー２０と、
前記第１バスバー２０とは電気的に独立して前記ハウジング１１の外部で前記第２固定接点側端子１３に接続された第２バスバー３０と、
前記バスバー設置面１６において、前記接続箇所２１から前記配列方向に隙間６０を空けて配置されて、前記接離方向でかつ前記バスバー設置面１６から離れる方向における前記第１バスバー２０の位置を規制するバスバー位置規制部４０と
をさらに備える。
【００７３】
第１態様の接続ユニット１によれば、バスバー位置規制部４０により、第１バスバー２０がバスバー設置面１６に沿って配列方向に略直線的に延びた状態を維持できるので、通電時に可動接触片１４および第１バスバー２０を流れる相互に反対方向の電流に起因して発生する電磁反発力によって、第１バスバー２０が接離方向でかつバスバー設置面１６から離れる方向に変形するのを抑制できる。その結果、第１バスバー２０の変形に伴う可動接触片１４および第１バスバー２０間に発生する電磁反発力の低下を抑制して、接続ユニット１の接触信頼性を高めることができる。
【００７４】
本開示の第２態様の接続ユニット１は、
前記バスバー位置規制部４０が、前記バスバー設置面１６において、前記可動接触片１４の前記配列方向の中心ＣＬよりも前記配列方向において前記接続箇所２１から離れた領域７０に配置されている。
【００７５】
第２態様の接続ユニット１によれば、第１バスバー２０がバスバー設置面１６に沿って配列方向に略直線的に延びた状態をより確実に維持できるので、通電時に可動接触片１４および第１バスバー２０を流れる相互に反対方向の電流に起因して発生する電磁反発力によって、第１バスバー２０が接離方向でかつバスバー設置面１６から離れる方向に変形するのをより確実に抑制できる。
【００７６】
本開示の第３態様の接続ユニット１は、
前記バスバー位置規制部４０を第１バスバー第１位置規制部４０とし、前記第１バスバー位置規制部４０とは前記バスバー設置面１６における異なる領域に配置されて、前記接離方向でかつ前記バスバー設置面１６から離れる方向における前記第１バスバー２０の位置を規制する第１バスバー第２位置規制部１４０をさらに備え、
前記第１バスバー第１位置規制部４０が、前記バスバー設置面１６において、前記可動接触片１４の前記配列方向の中心ＣＬよりも配列方向において前記接続箇所２１から離れた領域７０に配置され、前記第１バスバー第２位置規制部１４０が、前記バスバー設置面１６において、前記可動接触片１４の前記配列方向の中心ＣＬよりも前記配列方向において前記接続箇所２１に近い領域８０に配置されている。
【００７７】
第３態様の接続ユニット１によれば、第１バスバー２０がバスバー設置面１６に沿って配列方向に略直線的に延びた状態をより確実に維持できるので、通電時に可動接触片１４および第１バスバー２０間に発生する電磁反発力によって、第１バスバー２０が接離方向でかつバスバー設置面１６から離れる方向に変形するのをより確実に抑制できる。その結果、第１バスバー２０の変形に伴う可動接触片１４および第１バスバー２０間に発生する電磁反発力の低下を抑制して、接続ユニット１の接触信頼性を高めることができる。
【００７８】
本開示の第４態様の接続ユニット１は、
前記ハウジング１１の前記バスバー設置面１６に設けられ、前記バスバー位置規制部４０と共に前記第１バスバー２０を挟む一対の突起部２４１、２４２をさらに備え、
前記バスバー設置面１６において、前記バスバー位置規制部４０が、前記可動接触片１４の前記配列方向の中央部に配置され、前記一対の突起部２４１、２４２の一方が、前記可動接触片１４の前記配列方向の中心ＣＬよりも前記配列方向において前記接続箇所２１から離れた領域７０に配置され、前記一対の突起部２４１、２４２の他方が、前記可動接触片１４の前記配列方向の中心ＣＬよりも前記配列方向において前記接続箇所２１に近い領域８０に配置されている。
【００７９】
第４態様の接続ユニット１によれば、第１バスバー２０がバスバー設置面１６に沿って配列方向に延びた状態をより確実に維持できるので、通電時に可動接触片１４および第１バスバー２０間に発生する電磁反発力によって、第１バスバー２０が接離方向でかつバスバー設置面１６から離れる方向に変形するのをより確実に抑制できる。その結果、第１バスバー２０の変形に伴う可動接触片１４および第１バスバー２０間に発生する電磁反発力の低下を抑制して、接続ユニット１の接触信頼性を高めることができる。
【００８０】
本開示の第５態様の接続ユニット１は、
前記ハウジング１１が直方体状を有し、
前記第２固定接点側端子１３が、前記ハウジング１１の前記バスバー設置面１６に直交しかつ前記バスバー設置面１６の前記配列方向における他端部側の他端側壁部１１３に固定され、
前記第２バスバー３０は、前記第１バスバー２０に沿って前記配列方向に延びており、
前記第１バスバー２０および前記第２バスバー３０は、それぞれ板状を有し、板面同士が、前記接離方向において相互に対向するように配置されており、
前記第２バスバー３０の前記第１バスバー２０に対向する板面３０１とは反対側の板面３０２側に設けられて、前記接離方向でかつ前記第１バスバー２０から離れる方向における前記第２バスバー３０の位置を規制する第２バスバー位置規制部３４０をさらに備える。
【００８１】
第５態様の接続ユニット１によれば、第２バスバー３０がバスバー設置面１６に沿って配列方向に延びた状態を維持できるので、第２バスバー３０が、接離方向でかつ第１バスバー２０から離れる方向に変形することによる電磁継電器１０の不具合の発生を抑制できる。
【００８２】
本開示の第６態様の接続ユニット１は、
前記ハウジング１１が直方体状を有し、
前記第１固定接点側端子１２が、前記ハウジング１１の前記バスバー設置面１６に直交しかつ前記バスバー設置面１６の配列方向における一端部側の一端側壁部１１２に固定され、
前記第１バスバー２０が、前記一端側壁部１１２に沿って前記バスバー設置面１６に向かって延びる縦部材２３と、前記縦部材２３から前記バスバー設置面１６に沿って前記配列方向に延びる横部材２４とを有し、前記横部材２４は、前記バスバー位置規制部４０によって前記接離方向でかつ前記バスバー設置面１６から離れる方向における位置が規制されており、
前記配列方向でかつ前記ハウジング１１の前記一端側壁部１１２から離れる方向における前記第１バスバー２０の前記縦部材２３の位置を規制する補助バスバー位置規制部４４０をさらに備える。
【００８３】
第６態様の接続ユニット１によれば、第１バスバー２０がバスバー設置面１６に沿って配列方向に延びた状態をより確実に維持できるので、通電時に可動接触片１４および第１バスバー２０間に発生する電磁反発力によって、第１バスバー２０が接離方向でかつバスバー設置面１６から離れる方向に変形するのをより確実に抑制できる。その結果、第１バスバー２０の変形に伴う可動接触片１４および第１バスバー２０間に発生する電磁反発力の低下を抑制して、接続ユニット１の接触信頼性を高めることができる。
【００８４】
本開示の第７態様の接続ユニット１は、
前記補助バスバー位置規制部４４０が、前記一端側壁部１１２の前記バスバー設置面１６に近い方の端部のみに配置されている。
【００８５】
第７態様の接続ユニット１によれば、縦部材２３の接離方向の全体に亘って補助バスバー位置規制部４４０を設けた場合と比較して、補助バスバー位置規制部４４０の形成使用する材料を抑制することができる。
【００８６】
本開示の第８態様の接続ユニット１は、
前記バスバー位置規制部４０が、
前記バスバー設置面１６から前記接離方向に沿って前記バスバー設置面１６から離れる方向に延びる第１部材４１と、
前記第１部材４１の前記バスバー設置面１６から遠い方の端部から前記接離方向および前記配列方向に直交する方向に向かって前記バスバー設置面１６に沿って延びる第２部材４２と
を有し、
前記バスバー設置面１６と前記第２部材４２との間に前記第１バスバー２０が配置されている。
【００８７】
第８態様の接続ユニット１によれば、簡単な構成で、第１バスバー２０がバスバー設置面１６に沿って配列方向に略直線的に延びた状態をより確実に維持できるので、通電時に可動接触片１４および第１バスバー２０を流れる相互に反対方向の電流に起因して発生する電磁反発力によって、第１バスバー２０が接離方向でかつバスバー設置面１６から離れる方向に変形するのをより確実に抑制できる。
【００８８】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００８９】
本開示の接続ユニットは、例えば、電気自動車に適用できる。
【符号の説明】
【００９０】
１  接続ユニット
２  バッテリー
３  インバータ
４  モータ
５  発電機
６  継電器
７  抵抗器
１０電磁継電器
１１  ハウジング
１１１  第１壁部
１１２  第２壁部（一端側壁部の一例）
１１３  第３壁部（他端側壁部の一例）
１１４  第４壁部
１２  第１固定接点側端子
１２１  第１固定接点部
１３  第２固定接点側端子
１３１  第２固定接点部
１４  可動接触片
１４１  第１可動接点部
１４２  第２可動接点部
１４３  第１板面
１４４  第２板面
１５  収容部
１６  バスバー設置面
２０  第１バスバー
２１  接続箇所
２２  ねじ
２３  縦部材
２４  横部材
３０  第２バスバー
３１  ねじ
４０  バスバー位置規制部（第１バスバー位置規制部、第１バスバー第１位置規制部）
４１  第１部材
４２  第２部材
４３  第３部材
４４  隙間
５０  電磁石ユニット
５１  可動軸
５２  復帰ばね
６０  隙間
７０、８０  領域
１４０  第１バスバー第２位置規制部
２４１、２４２  突起部
２４３  隙間
３４０  第２バスバー位置規制部
４４０  補助バスバー位置規制部
ＣＬ中心
【図１】
2019061899.tif 000003
【図２】
2019061899.tif 000004
【図３】
2019061899.tif 000005
【図４】
2019061899.tif 000006
【図５】
2019061899.tif 000007
【図６】
2019061899.tif 000008
【図７】
2019061899.tif 000009
【図８】
2019061899.tif 000010
【図９】
2019061899.tif 000011